(57)【特許請求の範囲】
【請求項１】
縦方向に配置された長尺型のＬＥＤ基板と、このＬＥＤ基板の長手方向に少なくとも１列に配置された複数個のＬＥＤと、前記ＬＥＤ基板を保持する長尺型ＬＥＤカバー部材とを備え、
前記長尺型ＬＥＤカバー部材に、前記各ＬＥＤの上方向側への光を遮る庇部材を前記各ＬＥＤにそれぞれ対応させて装備したことを特徴とするショーケース用照明装置。
【請求項２】
請求項１に記載したショーケース用照明装置において、
前記ＬＥＤ基板と重ねて配置され前記各ＬＥＤの光を透過させる光透過口を有する長尺型プレート部材を設け、
この長尺型プレート部材の前記光透過口部分に前記庇部材を配設したことを特徴とするショーケース用照明装置。
【請求項３】
請求項２に記載のショーケース用照明装置において、
前記長尺型ＬＥＤカバー部材に前記長尺型プレート部材用のガイド溝を設けると共に、このガイド溝に沿って前記長尺型プレート部材をスライド自在に装備したことを特徴とするショーケース用照明装置。
【請求項４】
請求項２または請求項３に記載のショーケース用照明装置において、
前記長尺型ＬＥＤカバー部材の長手方向の下部に前記長尺型プレート部材を位置決めするＬＥＤ用ソケットを設けると共に、前記長尺型ＬＥＤカバー部材の長手方向の上部に当該長尺型ＬＥＤカバー部材用の取付けソケットを設けたことを特徴とするショーケース用照明装置。
【請求項５】
請求項２ないし請求項４のいずれか一つに記載のショーケース用照明装置において、
前記長尺型プレート部材を、薄板状部材をプレス加工することにより形成したことを特徴とするショーケース用照明装置。
【請求項６】
前面透明部材と、一部に側面ガラス部材を設けた一対の側面部材とを備えたケース本体を有し、
このケース本体前部側の角部領域で上下にわたって、前記請求項２ないし請求項５のいずれか一つに記載のショーケース用照明装置を装備したことを特徴とするショーケース。
【請求項７】
請求項６に記載したショーケースにおいて、
前記ＬＥＤ基板を、前記側面ガラス部材に対して前記ＬＥＤが前記ケース本体の中央部側を向くように傾けて配置したことを特徴とするショーケース。
【請求項８】
請求項６または請求項７に記載したショーケースにおいて、
前記長尺型ＬＥＤカバー部材を断面凹状に形成し、その内面の一面に前記ＬＥＤ基板を設けると共に、内面の他の面に前記ＬＥＤの光の反射光を拡散する光拡散フィルムを装着したことを特徴とするショーケース。
【請求項９】
請求項６ないし請求項８のいずれか一つに記載したショーケースにおいて、
前記ショーケース用照明装置を、前記ケース本体の前記各側面部材に着脱自在としたことを特徴とするショーケース。
【発明の詳細な説明】
【技術分野】
【０００１】
本発明はショーケース用照明装置およびショーケースースに係り、さらに詳しくは、ショーケース内の陳列商品の取り出し作業性の向上を図れるように構成したショーケース用照明装置およびショーケースに関する。
【背景技術】
【０００２】
例えば、コンビニエンスストアにはレジ用カウンターが設置されており、このレジ用カウンターには、卓上型のコールドショーケースや、ホットショーケース等が載置されている。そして、これらの各ショーケースの内部には、冷却または加温された飲料物や調理済みの食品が陳列されるようになっている。
【０００３】
ところで、以上のような各ショーケースでは、陳列棚に並べられる各種の食品をショーケースの前面側、つまり顧客側から見えやすいように照明装置が設けられている。そして、この照明装置はショーケースの前面側から陳列棚側に向けて光が届くように配置されている。
この場合、陳列棚に並べられる各種の食品がよく見えるようにするためには、照明装置の光をある程度強くする必要がある。そこで、照明装置として、例えば蛍光灯を利用した場合は、その数を増やしたり、ワット数の大きなものを使用して対応することも行われている。
【０００４】
また、近年では、蛍光灯に換えて高輝度のＬＥＤを照明装置として使用することが多くなってきている（例えば特許文献１参照）。
この特許文献１に開示されたＬＥＤ照明装置は、前面が開放されたオープンショーケースであるが、断熱箱体の前面角部に、複数個のＬＥＤが所定間隔で装備されたＬＥＤ基板を設けた構成となっている。このＬＥＤ基板は断熱箱体の略全高さにわたる長さとなっている。
【先行技術文献】
【特許文献】
【０００５】
【特許文献１】特開２０１３−１６２９５５号公報
【発明の概要】
【発明が解決しようとする課題】
【０００６】
ところで、オープンショーケースでないタイプのショーケース、例えば、四角形形状のケース本体を備え、このケース本体の前面側にガラス等の透明部材、両側面に側面部材、背面扉等が設けられた通常のショーケースでも、照明装置としてＬＥＤを使用することが多くなってきており、このようなショーケースに、上記特許文献１に開示されたＬＥＤ照明装置と同様のものを照明装置として、ケース本体の前部側の角部に設けることが当然考えられる。
この場合、陳列棚上の陳列商品の出し入れは、店の係員がショーケースを構成する背面扉を開閉して行うことになる。
【０００７】
しかし、背面扉を開閉して陳列商品の出し入れを行うタイプで、ＬＥＤで構成された照明装置がショーケースの前面側に配置されたショーケースでは、ＬＥＤの光が陳列商品側に向いているため、その陳列商品の出し入れを行うたびに光が店の係員の目に直接飛び込んでくる。
前述のように、陳列商品を見やすいようにＬＥＤはある程度高輝度のものが利用されているので、陳列商品の出し入れを行う係員にとっては、眩しくて、作業がし難く、作業効率が悪くなるという問題が生じている。また、１日に何度も繰り返し陳列商品の出し入れを行う結果、目を傷めてしまうおそれもある。
【０００８】
〔発明の目的〕
本発明は、上述した課題を解決するために提案されたものであり、その目的は、陳列棚上の陳列商品の出し入れをＬＥＤの光に影響されることなく容易に行うことができ、陳列商品の出し入れ作業の向上を図れるようになるショーケース用照明装置およびショーケースを提供することにある。
【課題を解決するための手段】
【０００９】
前記目的を達成するために、本発明のショーケース用照明装置は、縦方向に配置された長尺型のＬＥＤ基板と、このＬＥＤ基板の長手方向に少なくとも１列に配置された複数個のＬＥＤと、前記ＬＥＤ基板を保持する長尺型ＬＥＤカバー部材とを備え、
前記長尺型ＬＥＤカバー部材に、前記各ＬＥＤの上方向側への光を遮る庇部材を前記各ＬＥＤにそれぞれ対応させて装備したことを特徴とする。
【００１０】
また、本発明のショーケースは、前面透明部材と、一部に側面ガラス部材を設けた一対の側面部材とを備えたケース本体を有し、このケース本体前部側の角部領域で上下にわたって、前記請求項１ないし請求項５のいずれか一つに記載のショーケース用照明装置を装備したことを特徴とする。
【発明の効果】
【００１１】
本発明のショーケース用照明装置およびショーケースによれば、ショーケース用照明装置が、ショーケースを構成するケース本体前部側の角部領域で上部側から下部側にわたって設けられており、ショーケース用照明装置のＬＥＤの光はケース本体の内部に照射されるが、ショーケース用照明装置の長尺型ＬＥＤカバー部材に各ＬＥＤの上方向側への光を遮る庇部材が装備されているので、背面扉を開閉して陳列棚の陳列商品の出し入れを行う際、各ＬＥＤの光が係員の目に直接当たることがなくなる。その結果、陳列商品の出し入れ作業が容易となり、作業効率が向上する。
また、長尺型ＬＥＤカバー部材に設けられた庇部材により上方向側への光は遮られるが、庇部材で遮られて言わば不要となった光は、庇部材の裏面で反射されてケース本体の中央部側に向かう。その結果、反射光は、庇部材の裏面と関係なく中央部側に向かう光と合体した状態となってケース本体の中央部側に向かうので、ケース本体の内部をより明るく照らすことができる。その結果、陳列棚上の商品が見易くなるので、顧客が商品Ｃを選び易くなる。
【図面の簡単な説明】
【００１２】
【図１】本発明に係るショーケース用照明装置を設けたショーケースの一実施形態を示す全体右側面図である。
【図２】図１におけるII矢視のショーケースの全体正面図である。
【図３】図１におけるIII矢視の全体背面図である。
【図４】前記実施形態のショーケース用照明装置を示す全体斜視図である。
【図５】図４におけるV−V線に沿った拡大平断面図である。
【図６】前記実施形態のショーケース用照明装置を構成する長尺型ＬＥＤカバー部材を示す全体正面図である。
【図７】図６におけるVII−VII線に沿った拡大縦断面図である。
【図８】前記実施形態のショーケース用照明装置を構成する光遮蔽体とＬＥＤ基板とを示し、図８（Ａ）は光遮蔽体の全体正面図であり、図８（Ｂ）はＬＥＤ基板の全体正面図であり、図８（Ｃ）は光遮蔽体とＬＥＤ基板との位置関係を示す側面図である。
【図９】図８（Ａ）の光遮蔽体の詳細を示す部分拡大図である。
【図１０】図１０（Ａ）は図９におけるＸ矢視図であり、図１０（Ｂ）は図１０（Ａ）のＡ矢視図である。
【図１１】前記実施形態のショーケース用照明装置の長尺型ＬＥＤカバー部材に光遮蔽体を装着する状態を示す動作図である。
【図１２】前記実施形態のショーケース用照明装置を構成するＬＥＤ用ソケットを表し、図１２（Ａ）はＬＥＤ用ソケットを示す正面図であり、図１２（Ｂ）は図１２（Ａ）のＢ矢視図であり、図１２（Ｃ）は図１２（Ａ）の−Ｃ線に沿った平断面図である。
【図１３】前記実施形態のショーケース用照明装置を構成する取付け用ソケットを表し、図１３（Ａ）はその正面図であり、図１３（Ｂ）は図１３（Ａ）のＢ矢視図である。
【図１４】図１４（Ｃ）は図１３におけるＣ−Ｃ 線に沿った平断面図である。
【図１５】前記実施形態のショーケースをカウンターに設置したときの男女の係員における目線の高さ位置とＬＥＤの光の照射方向との関係を示す側面図である。
【発明を実施するための形態】
【００１３】
以下に、図面を参照して本発明に係るショーケース用照明装置３０およびそのショーケース用照明装置３０が装備されたショーケース１の一実施形態を説明する。
【００１４】
まず、図１〜３に基づいてショーケース１の全体を説明する。
ショーケース１は、例えば、コンビニエンスストアのレジ用カウンター１００の上等に複数個のケース受台１８を介して載置されるようになっている。
そして、図１において、左側が、客が商品Ｃを選択・注文し、かつ受け取るための前面側であり、右側が、店の係員がショーケース１の上記陳列棚２０に商品を陳列したり、陳列してある商品Ｃの中から所定の商品Ｃを取り出して受け渡す背面側である。
なお、本ショーケース１は、ホットショーケースである。
【００１５】
本実施形態のショーケース１は、ケース本体１０と、このケース本体１０内に設けられ、内部に商品Ｃを陳列する複数段（本実施形態では３段）の陳列棚２０と、上記ケース本体１０の内部、つまり陳列棚２０を照らすショーケース用照明装置３０とを備えて構成されている。
そして、陳列棚２０は、最上段の陳列棚２０−１、上から二段目の陳列棚２０−２、および最下段の陳列棚２０−３で構成されている。これらの陳列棚２０−１、２０−２上には複数のバット２４が載せられ、それぞれのバット２４に商品Ｃが陳列されるようになっている。また、陳列棚２０−３には、内部にポテトフライ等の商品を収容した袋状容器が載せられるようになっている。
【００１６】
ケース本体１０は、図１〜３に示すように、ケース本体１０の前面側から見て左側面および右側面に配置された一対の側面部材１１Ａ，１１Ｂと、これらの側面部材１１Ａ，１１Ｂの上部に架けわたされた上部フレーム１２と、側面部材１１の下部に架けわたされた下部フレーム１３と、上部フレーム１２および下部フレーム１３の前面側に配置された前面透明部材である前面ガラス１４と、上部フレーム１２および下部フレーム１３の背面側に配置された背面扉１５とを備えて構成されている。
【００１７】
図１に示すように、各側面部材１１Ａ，１１Ｂは、その前端面が上部から下部に向かって下部側が広くなるように緩やかな湾曲状に傾斜した形状に形成されている。
そして、各側面部材１１Ａ，１１Ｂの表面には、当該側面部材１１Ａ，１１Ｂの外形形状に略沿った形状で切欠き窓部１１Ｍが形成されており、この切欠き窓部１１Ｍには、当該切欠き窓部１１Ｍを塞ぐ側面ガラス１６が、各側面部材１１Ａ，１１Ｂの内側の嵌め込み部（図５参照）に嵌め込まれて固定されている。
したがって、この側面ガラス１６の前端面は、各側面部材１１Ａ，１１Ｂの湾曲状に傾斜した前面の形状に沿った形状に形成されている。
なお、側面部材１１Ａ，１１Ｂの構成は全く同一であるが、取付け位置が異なるため勝手違いに形成されている。
【００１８】
前記前面ガラス１４は、その上端部が前記上部フレーム１２の前面側端部と当接した状態で、かつその下端部が前記下部フレーム１３の前面側端部と当接した状態で配置されている。また、前面ガラス１４の左右両端は、前記側面ガラス１６の内側面で、かつ前面側先端部にパッキンＰ（図２，５参照）を介して当接した状態で固定されている。
以上のように、ショーケース１は、全体略縦型の四角形形状に形成されている。
【００１９】
前記ショーケース用照明装置３０は、各側面部材１１Ａ，１１Ｂの前面部でかつ当該各側面部材１１Ａ，１１Ｂの側面に、その上部側から下部側にわたって設けられている。そして、ショーケース用照明装置３０は、ケース本体１０の略角部から当該ケース本体１０の内部に向けて斜めに照射する一対のショーケース用照明装置（以下、単に照明装置という）３２，３３とで構成されている。
なお、前記上部フレーム１２には、ケース本体１０の前面側内部を照らす天面照明装置３１が配置されている。
【００２０】
まず、照明装置３２，３３について説明する。
ここで、本体ケース１０の前面側から見て左側に照明装置３２が配置され、右側に照明装置３３が配置されている。各照明装置３２，３３の構成は全く同一であるが、取付け位置が異なるため勝手違いに形成されている。
そのため、以下には、本体ケース１０の前面側から見て右側の照明装置３３（図１の状態）を代表して説明する。また、側面部材も上記照明装置３３が取付けられる側面部材１１Ｂについて説明する。
【００２１】
照明装置３２は、図４に詳細を示すように、長尺型ＬＥＤカバー部材３５を備えて構成されており、この長尺型ＬＥＤカバー部材３５は、図１〜３にも示すように、側面部材１１Ｂの前面部でかつ当該側面部材１１Ｂの上部側から下部側にわたって着脱可能に設けられている。
【００２２】
長尺型ＬＥＤカバー部材３５の内部には、図５にも示すように、照明装置３３を構成するＬＥＤ基板３６が収容されており、このＬＥＤ基板３６には、照明装置３３を構成する複数個のＬＥＤ３７が、例えば一定間隔で、かつ１列に設けられている。そして、これらのＬＥＤ３７は、ケース本体１０の内部、つまり、各陳列棚２０−１〜２０−３を充分な明るさで照らすことができるように、所定の輝度を有するものが使用されている。
なお、複数個のＬＥＤ３７の配置は必ずしも一定間隔でなくてもよく、また、配列も１列に限らず、２列３列でもよい。
【００２３】
また、長尺型ＬＥＤカバー部材３５には、複数個のＬＥＤ３７のそれぞれの上方位置に重ねられた状態で配置されると共に、各ＬＥＤ３７の光が上方に反射するのを遮る庇部材３８Ｂを有する光遮蔽体３８が装備されている。
【００２４】
図６に示すように、長尺型ＬＥＤカバー部材３５は、上記側面部材１１Ｂの上部側から下部側にわたる長さに形成されている。この長尺型ＬＥＤカバー部材３５は、図５，７に示すように、外形形状が断面略半円形で内部が略凹状に形成され、長尺型ＬＥＤカバー部材３５の内面部には、前述のように、ＬＥＤ基板３６および光遮蔽体３８が設けられている。
【００２５】
すなわち、長尺型ＬＥＤカバー部材３５の径方向の一方側には、前記ＬＥＤ基板３６が収納される基板取付け凹部３５Ａが形成されている。この基板取付け凹部３５Ａは、長尺型ＬＥＤカバー部材３５の内部から外表面側に向けて彫り込まれた形状となっている。
【００２６】
また、長尺型ＬＥＤカバー部材３５の内部において、基板取付け凹部３５Ａの上方には所定の隙間をおいて、長尺型プレート部材３８Ａ用のガイド溝３５Ｂが形成されており、このガイド溝３５Ｂは基板取付け凹部３５Ａの底面と略平行に形成されている。
そして、ガイド溝３５Ｂに沿って長尺型プレート部材３８Ａがスライド自在に挿入されるようになっている。
【００２７】
基板取付け凹部３５Ａとプレート部材用ガイド溝３５Ｂとが上述のように形成されているので、図５に示すように、基板取付け凹部３５ＡにＬＥＤ基板３６を接着等により取り付け、プレート部材用ガイド溝３５Ｂに光遮蔽体３８の長尺型プレート部材３８Ａが挿入されたとき、その長尺型プレート部材３８Ａの裏面とＬＥＤ３７の上面とは極めて接近した状態となっている。
そのため、隙間が大きいと、ＬＥＤ３７の光が隙間内で長尺型プレート部材３８Ａの裏面に反射したり、反射した光が通常の光と錯綜し合って開口部３８Ｃから正常に照射されないおそれが多くなるが、本実施形態では、隙間が極めて接近しているので、そのようなことが少なくなる。その結果、ＬＥＤ３７からの光を効率よくケース本体１０内を照射することができる。
【００２８】
また、ＬＥＤ基板３６を側面ガラス部材１６に対してＬＥＤ３７がケース本体１０の内部を照らすように傾けて配置されている。そして、その傾き角度は、ＬＥＤ基板３６の側面ガラス部材１６の外表面に対して４５°に設定されている。
【００２９】
より具体的には、図５に示すように、基板取付け凹部３５ＡにＬＥＤ基板３６を取付けたとき、ＬＥＤ基板３６の幅方向で前記前面ガラス１４側の一端部に対して、幅方向の他端部を、側面部材１１Ｂの表面、ひいては側面ガラス部材１６の表面からα°、つまり４５°傾けた状態でＬＥＤ基板３６が取付けられている。
そのため、ＬＥＤ３７の光がケース本体１０の中央領域に向けて照射されるので、ケース本体１０の内部、つまり陳列棚２０の商品Ｃを充分に照らすことができる。
なお、ＬＥＤ基板３６の側面ガラス部材１６に対する傾き角度は４５°に限定されず、ケース本体１０の中央領域を含む内部を、万遍なく、かつ充分に照らすことができればよく、つまり、ＬＥＤ基板３６は、ケース本体１０の大きさ等に対応した角度で設置されていればよい。
【００３０】
また、図５に示すように、長尺型ＬＥＤカバー部材３５の内面において、前記基板取付け凹部３５Ａとは別の面に、長尺型ＬＥＤカバー部材３５の全長にわたって形成された平坦面３５Ｄが形成されており、この平坦面３５Ｄには、ＬＥＤ３７の光の反射光を拡散する光拡散フィルム４３が装着されている。
【００３１】
平坦面３５Ｄは、ＬＥＤ基板３６の取付け角度よりも前面ガラス１４側に傾いており、つまり、前面ガラス１４と略対向状態に形成されている。したがって、ＬＥＤ３７の光が平坦面３５Ｄに反射して前面ガラス１４側に届くが、平坦面３５Ｄに光拡散フィルム４３が装着されているので、その反射光が拡散される。
そのため、ケース本体１０の前面側から顧客がケース本体１０の内部の商品Ｃを見るとき、ＬＥＤ３７の光が顧客の目に直接入ることがないので、眩しさを感じることなく、快適な買い物ができる。
【００３２】
また、図６に示すように、長尺型ＬＥＤカバー部材３５の長さ方向の両端部には、ＬＥＤ用ソケット３９および取付け用ソケット４０の先端部が挿入可能となるように、所定の寸法の逃げ部３５Ｃ，３５Ｃが形成されている。
【００３３】
図８〜１０に示すように、前記光遮蔽体３８は、長尺型ＬＥＤカバー部材３５と略同じ長さ寸法に形成されている。この光遮蔽体３８は、薄板状の長尺型プレート部材３８Ａと、この長尺型プレート部材３８Ａの表面に設けられると共にその表面から前記陳列棚２０側に突出した前記庇部材３８Ｂとで形成されている。
そして、長尺型プレート部材３８Ａおよび庇部材３８Ｂはステンレス材で一体的に形成されている。
【００３４】
長尺型プレート部材３８Ａには、前記各ＬＥＤ３７のそれぞれの外形大きさより大きな光透過口である開口部３８Ｃが形成されている。また、長尺型プレート部材３８Ａは、長尺型ＬＥＤカバー部材３５の前記プレート部材用ガイド溝３５Ｂに挿入されると共に、長尺型ＬＥＤカバー部材３５の長手方向に沿ってスライド自在となっている。
【００３５】
庇部材３８Ｂは、光遮蔽体３８の長尺型プレート部材３８Ａの開口部３８Ｃ部分に設けられ、三方に切り欠かれた部位に臨む一端部を基端としたとき、当該開口部３８Ｃの先端側の他端部を、上記長尺型プレート部材３８Ａの上部側から下部側に行くに従って開口部３８Ｃ側に近づく傾斜となるような傾斜状に形成されている。
【００３６】
すなわち、図１０（Ａ）に詳細を示すように、庇部材３８Ｂは、その先端部が、庇部材３８Ｂの折曲がり基端部を基に開口部３８Ｃから離れる方向に所定の傾斜角度α°で傾斜した形状となっており、庇部材３８Ｂの高さ寸法がｔに設定されている。
そして、傾斜角度α°は、例えば７０°程度に設定されている。
ただし、この角度は７０°に限定されない。係員の目線に応じて、陳列棚２０の１段目２０−１、２段目２０−１、３段目２０−３に対応する部位で傾斜角度を変えてもよい。この場合、１段目２０−１より２段目、２段目２０−２より３段目２０−３の部位で、傾斜角度を順に大きくすると好適である。
【００３７】
庇部材３８Ｂは、以上のような形状となっているので、ＬＥＤ３７の光は、開口部３８Ｃからケース本体１０の中央側に向かうが、光の一部は庇部材３８Ｂの裏面（開口部３８Ｃ側の面）で反射し、そこから中央側に向かう。言い換えれば、ＬＥＤ３７の光が庇部材３８Ｂで遮られるので、表面側に向かうことはない。
【００３８】
また、図１０（Ｂ）に示すように、庇部材３８Ｂの平面形状は、先端部の幅方向両端部が切り欠かれた略山形形状に形成されている。そして、庇部材３８Ｂの幅寸法は、前記開口部３８Ｃの幅寸法と同じ寸法となっている。
つまり、庇部材３８Ｂは、長尺型プレート部材３８Ａに開口部３８Ｃを形成するために、その開口部３８Ｃの外形に沿って３方に切り込みを入れたとき、残った片を前記高さ寸法ｔとなるように切断した部位を、傾斜角度α°に折り曲げた形状である。
なお、庇部材３８Ｂの先端部の形状は略山形形状でなくてもよく、前記側面ガラス１６の表面に接触しなければよく、例えば円弧状に形成していてもよい。
【００３９】
このような形状とするためには、例えば、プレス機による、いわゆる切曲げ加工で行われるようになっている。
光遮蔽体３８は、前述のようにステンレス材で形成されると共に、プレス加工により形成されているので、量産加工が容易となっている。
【００４０】
光遮蔽体３８は、前述のように、長尺型ＬＥＤカバー部材３５のガイド溝３５Ｂにスライド自在に挿入されるようになっている。
すなわち、図１２に示すように、光遮蔽体３８の庇部材３８Ｂの傾斜の方向を確認した後、長尺型プレート部材３８Ａを、長尺型ＬＥＤカバー部材３５のプレート部材用ガイド溝３５Ｂに差し込むと共に、そのガイド溝３５Ｂに沿ってストッパ位置までスライドさせることで取り付ける。
【００４１】
なお、光遮蔽体３８の長尺型プレート部材３８Ａを長尺型ＬＥＤカバー部材３５に取付けたとき、長尺型プレート部材３８Ａの下端部は、次に詳細に述べるＬＥＤ用ソケット３９の嵌合部３９Ｂの第２の突出部３９Ｂb（図１２参照）と当接するようになっている。
つまり、上記第２の突出部３９Ｂbが長尺型プレート部材３８Ａの下端側のストッパＳとなっており、長尺型プレート部材３８Ａはその位置に位置決めされる。このとき、光遮蔽体３８の開口部３８Ｃおよび庇部材３８Ｂと、ＬＥＤ３７とが最適位置となっている。
【００４２】
図１，４に示すように、また、上述のように、長尺型ＬＥＤカバー部材３５の下端部にはＬＥＤ用ソケット３９が接着等により長尺型ＬＥＤカバー部材３５と一体的に設けられている。
また、長尺型ＬＥＤカバー部材３５の上部には、当該長尺型ＬＥＤカバー部材３５、ひいては照明装置３２を側面部材１１Ａに取付けるための取付け用ソケット４０が接着等により長尺型ＬＥＤカバー部材３５と一体的に設けられている。
【００４３】
図１２（Ａ）、（Ｂ）、（Ｃ）に示すように、上記ＬＥＤ用ソケット３９は、長尺型ＬＥＤカバー部材３５の下端部に取り付けられている。
ＬＥＤ用ソケット３９は、丸パイプを縦方向に略２つ割りにした形状の本体部３９Ａと、この本体部３９Ａと一体形成されると共に、長尺型ＬＥＤカバー部材３５の前記基板取付け凹部３５Ａおよび平坦面３５Ｄに差込まれ、嵌合する嵌合部３９Ｂとで形成されている。
【００４４】
また、本体部３９Ａの内周面には、図１２（Ｃ）に示すように、前記ＬＥＤ基板３６に接続されている配線４５およびコネクタ４６を保護すると共に、前記側面部材１１Ａ等と一体形成されたソケット受部１７と連結される連結部３９Ｃが設けられている。
【００４５】
ＬＥＤ用ソケット３９の嵌合部３９Ｂは、上述のように、長尺型ＬＥＤカバー部材３５の下部に形成されている上記基板取付け凹部３５Ａおよび平坦面３５Ｄに差込まれ、嵌合できるように形成されている。
ＬＥＤ用ソケット３９の嵌合部３９Ｂは、長尺型ＬＥＤカバー部材３５の基板取付け凹部３５Ａおよび平坦面３５Ｄに嵌合するようになっているので、次に述べる取付け用ソケット４０の嵌合部４０Ｂと同一の構造となっている。ただし、上下に配置されるので、両嵌合部３９Ｂ，４０Ｂは勝手違いとなっている。
【００４６】
すなわち、図１２（Ｂ）に示すように、ＬＥＤ用ソケット３９の嵌合部３９Ｂは、本体部３９Ａの外底面から外側に突出して形成された第1、第２の突出片３９Ｂa，３９Ｂbで構成されている。これらの第1、第２の突出片３９Ｂa，３９Ｂbは、上述のように、取付け用ソケット４０の構成とまったく同じであるが、わかりやすく説明するために、異なった符合を付して説明する。
【００４７】
第1の突出片３９Ｂaの一方の部位が、長尺型ＬＥＤカバー部材３５の平坦面３５Ｄに嵌合すると共に、第1の突出片３９Ｂaの他方の部位と第２の突出片３９Ｂaの他方の部位とが、長尺型ＬＥＤカバー部材３５の基板取付け凹部３５Ａに嵌合するようになっている。また、第２の突出片３９Ｂaの一方の部位が、ＬＥＤカバー部材３５に挿入された光遮蔽体３８の長尺型プレート部材３８Ａの下端部を位置決めするストッパ部Ｓを構成している。
【００４８】
そして、ＬＥＤ用ソケット３９を長尺型ＬＥＤカバー部材３５の下端部に取付け、固定するために、第1の突出片３９Ｂaの一方の部位と他方の部位の２箇所、および第２の突出片３９Ｂaの他方の部位の外側面にそれぞれ接着剤Ｇが塗布されている。
【００４９】
ＬＥＤ用ソケット３９は、図１に示すように、側面部材１１Ｂの全面側の下部に設けられたソケット受部１７に着脱自在に連結されるようになっている。
すなわち、ソケット受部１７は、その外形形状が前記取付け用ソケット４０と略同一外形形状に形成されており、側面部材１１と一体的に成形加工により形成されている。ソケット受部１７は、上下方向で半径寸法が異なる二段構成の半割りパイプ状になっており、上部のパイプ部と下部のパイプ部との段差部に、上記連結部３９Ｃが着脱自在に係合するようになっている。
【００５０】
連結部３９Ｃは、図１２（Ｃ）に示すように、内面に第1、第２の突出片３９Ｃa，３９Ｃbで構成されており、これらの突出片３９Ｃa，３９ＣbとＬＥＤ用ソケット３９の本体部３９Ａの内周面とで構成された空間部を、上記ソケット受部１７における二段構成の半割りパイプ状の上部のパイプ部に差込むことで、ＬＥＤ用ソケット３９と側面部材１１Ｂのソケット受部１７とが連結されるようになっている。
【００５１】
ＬＥＤ基板３６の下端部には、図４，８に示すように、ＬＥＤ３７を発光させるための配線４５およびコネクタ４６が接続されている。これらの配線４５およびコネクタ４６は、上記ＬＥＤ用ソケット３９とソケット受部１７の内周部とに収容されるようになっている。
また、コネクタ４６は、ケース本体１０の下部に設けられている電源側コネクタ４７と着脱自在に接続されるようになっている。
【００５２】
前記取付け用ソケット４０は、図１３（Ａ）、（Ｂ）に示すように、長尺型ＬＥＤカバー部材３５に連続すると共に先端部が半球面状に形成された本体部４０Ａと、この本体部４０Ａと一体形成されると共に長尺型ＬＥＤカバー部材３５の前記基板取付け凹部３５Ａおよび平坦面３５Ｄに差込まれ、嵌合する嵌合部４０Ｂとで形成されている。
本体部４０Ａの先端部は、上述のように半球面状に形成されているので、取付け用ソケット４０を長尺型ＬＥＤカバー部材３５に取り付けた後、その長尺型ＬＥＤカバー部材３５を前記側面部材１１Ａ，１１Ｂに取り付ける作業のときなど、角部がないので手を傷つけることもなく、取り扱い性が良好な形状となっている。
【００５３】
取付け用ソケット４０の本体部４０Ａは、断面略半円形状になっており軽量化が図られている。また、取付け用ソケット４０の本体部４０Ａの下部側には、図１３（Ａ）に示すように、取付け用ソケット４０を介して長尺型ＬＥＤカバー部材３５を側面部材１１Ａに取り付けるための取付け穴４０Ｃが形成されている。
【００５４】
取付け用ソケット４０の嵌合部４０Ｂは、上述のように、長尺型ＬＥＤカバー部材３５の内部に形成されている前記基板取付け凹部３５Ａおよび平坦面３５Ｄに差込まれ、嵌合するように形成されている。
すなわち、嵌合部４０Ｂは、図１３（Ｂ）に示すように、本体部４０Ａの外底面から外側に突出して形成された第1、第２の突出片４０Ｂa，４０Ｂbで構成されている。
【００５５】
そして、第1の突出片４０Ｂaの一方の部位が、長尺型ＬＥＤカバー部材３５の平坦面３５Ｄに嵌合すると共に、第1の突出片４０Ｂaの他方の部位と第２の突出片４０Ｂaの他方の部位とが、長尺型ＬＥＤカバー部材３５の基板取付け凹部３５Ａに嵌合するようになっている。
また、第２の突出片４０Ｂaの他方の部位は、長尺型ＬＥＤカバー部材３５に挿入された光遮蔽体３８の長尺型プレート部材３８Ａの上端部が、長尺型ＬＥＤカバー部材３５のガイド溝３５Ｂから抜けないようにストッパ部Ｓ１を構成している。
【００５６】
取付け用ソケット４０を長尺型ＬＥＤカバー部材３５の上端部に取付け、固定するために、第1の突出片４０Ｂaの一方の部位と他方の部位の２箇所、および第２の突出片４０Ｂaの他方の部位の外側面にそれぞれ接着剤Ｇが塗布されている。
【００５７】
次に、以上のような構成の照明装置３３の組立て手順を説明する。
まず、ＬＥＤ用ソケット３９の嵌合部３９Ｂの所定の位置に接着剤Ｇを塗布してから、そのＬＥＤ用ソケット３９を長尺型ＬＥＤカバー部材３５の下端部に取付ける。
接着剤Ｇが硬化したら、ＬＥＤ基板３６を長尺型ＬＥＤカバー部材３５の基板取付け凹部３５Ａに装着する。そして、ＬＥＤ基板３６の平坦面３５Ｄに光拡散フィルム４３を貼り付ける。
【００５８】
その後、庇部材３８Ｂの向きを確認しながら光遮蔽体３８を、長尺型ＬＥＤカバー部材３５のガイド溝３５Ｂに挿入し、かつスライドさせて取付ける。光遮蔽体３８を完全に長尺型ＬＥＤカバー部材３５に取付けたら、取付け用ソケット４０の嵌合部４０Ｂの所定の位置に接着剤Ｇを塗布して、その取付け用ソケット４０を長尺型ＬＥＤカバー部材３５の上端部に取付けて照明装置３３が完成する。
【００５９】
そして、以上のような照明装置３０をショーケース１に取付けるには、まず、ＬＥＤ基板３６の下端に装備されているコネクタ４６を電源側のコネクタ４７に接続する共に、ＬＥＤ用ソケット３９をソケット受部１７に差込んで連結する。
そして、長尺型ＬＥＤカバー部材３５を側面部材１１Ａの所定位置に当て、取付け用ソケット４０の取り付け穴４０Ｃからビス４８を、側面部材１１Ａに設けられている取付け部材４９にあけられているネジ穴に螺合させて、照明装置３０をケース本体１０に取り付ける。
照明装置３０のケース本体１０からの取外しは、上述の手順と逆の手順で行えばよい。
【００６０】
そして、ここにおいて、以上に説明した長尺型ＬＥＤカバー部材３５、ＬＥＤ用ソケット３９、取付け用ソケット４０、ＬＥＤ基板３６、光遮蔽体３８および配線４５とコネクタ４６とを備えて、前記ショーケース用照明装置３０が構成されている。
なお、以上は、ケース本体１０の前面側から見て右側の側面部材１１Ｂおよび右側の照明装置３３について説明したが、左側の側面部材１１Ａおよび左側の照明装置３２の構造も全く同じである。
【００６１】
図３に示すように、ケース本体１０の背面扉１５の下部に設けられている背面蓋板５０には、ＬＥＤを照射するための照明スイッチ５１、各陳列棚２０−１〜２０−３に加熱用の電気を供給するための電源スイッチ５２、ケース本体１０内の温度を計測するデジタル温度計５３が設けられている。さらに、外部電源に接続するための電源コード５４が設けられている。
【００６２】
また、図１，３，１５に示すように、ケース本体１０の背面扉１６の上部には四角枠状のトング受１９が設けられ、このトング受１９に陳列商品Ｃを掴むトング５５が挿入されるようになっている。
【００６３】
以上のように構成されたショーケース１は、図１６に示すように、レジカウンター１００の上に載置されることが多い。
この際、ショーケース１の背面側に立った男女の係員Ａ，Ｂが、背面扉１５をあけて、ケース本体１０内の陳列商品Ｃの出し入れ作業を行うとき、ケース本体１０の両側面部材１１Ａ，１１Ｂの前面側に取付けられている照明装置３２，３３のＬＥＤ３７からの光のうち、上方への光が光遮蔽体３８の庇部材３８Ｂにより遮られる。
その結果、ＬＥＤ３７の光は、ケース本体１０の内部に充分に行きわたるが、係員Ａ，Ｂの目に直接当たることがないので、ＬＥＤ３７からの光の直接の影響を受けず、陳列商品Ｃの出し入れ作業を容易に行うことができ、作業効率の向上を図ることができる。
【００６４】
照明装置３０のＬＥＤ３７を点灯してショーケース１を稼動させ、係員Ａ，Ｂが、複数段の陳列棚２０−１，２０−２，２０−３に載せられた陳列商品Ｃの出し入れを行う際、ショーケース１の背面側に真っ直ぐに、かつ直接届くはずのＬＥＤ３７の明るい光が、光遮蔽体３８の庇部材３８Ｂにより、上方への反射が抑えられ、眩しさが軽減されるので、陳列商品Ｃの出し入れ作業を容易に行える。
【００６５】
以上のような構成のショーケース用照明装置３０およびショーケース１によれば次のような効果が得られる。
（１）照明装置３０が、ショーケース１のケース本体１０を構成する各側面部材１１Ａ，１１Ｂの前面側で上部側から下部側にわたって設けられているので、照明装置３０のＬＥＤ３７の光はケース本体１０の内部に照射されるが、照明装置３０の長尺型ＬＥＤカバー部材３５に、各ＬＥＤ３７の上方向側への光を遮る庇部材３８Ｂが装備されているので、ケース本体１０の背面扉１５を開閉して陳列棚２０の陳列商品Ｃ出し入れを行う際、各ＬＥＤ３７の光が係員Ａ，Ｂの目に直接当たることがなくなる。その結果、陳列商品Ｃの出し入れ作業が容易となり、作業効率が向上する。
【００６６】
（２）長尺型ＬＥＤカバー部材に設けられた庇部材により上方向側への光は遮られるが、庇部材３８Ｂで遮られて言わば不要となった光は、庇部材３８Ｂの裏面で反射されてケース本体１０の中央部側に向かう。その結果、反射光は、庇部材３８Ｂの裏面と関係なく中央部側に向かう光と合体した状態となってケース本体１０の中央部側に向かうので、ケース本体１０の内部をより明るく照らすことができる。その結果、陳列棚２０上の商品Ｃが見易くなるので、顧客が商品Ｃを選び易くなる。
【００６７】
（３）基板取付け凹部３５Ａに取付けられたＬＥＤ基板３６が、側面ガラス１６の表面に対して、４５°傾けた状態で長尺型ＬＥＤカバー部材３５に取付けられており、ＬＥＤ３７の光がケース本体１０の中央領域に向けられて照射されるので、ケース本体１０の内部、つまり陳列棚２０の商品Ｃを充分に照らすことができる。
【００６８】
（４）光遮蔽体３８の長尺型プレート部材３８Ａは、長尺型ＬＥＤカバー部材３５のプレート部材用ガイド溝３５Ｂにスライド自在に挿入されるようになっているので、長尺型プレート部材３８Ａが長くても、取付け作業が容易である。
【００６９】
（５）長尺型ＬＥＤカバー部材３５の内面に、当該長尺型ＬＥＤカバー部材３５の長手方向に沿って形成された平坦面部３５Ｄに光拡散フィルム４３が貼り付けられており、ＬＥＤ３７の反射光が光拡散フィルム４３により拡散されるので、ケース本体１０の前面側にいる顧客にＬＥＤ３７の光が目に直接当たることがない。その結果、顧客ケース本体１０の内部を覗いて陳列商品を検討する顧客が眩しさを感じることがなく、気持ちよく買い物をすることができる。
【００７０】
（６）基板取付け凹部３５Ａとプレート部材用ガイド溝３５Ｂとが近接しており、基板取付け凹部３５ＡにＬＥＤ基板３６が取付けられ、プレート部材用ガイド溝３５Ｂに光遮蔽体３８の長尺型プレート部材３８Ａが挿入されたとき、長尺型プレート部材３８ＡとＬＥＤ基板３６のＬＥＤ３７の上面とは極めて接近した状態となっている。そのため、ＬＥＤ３７からの光が、どこにも邪魔されずに長尺型プレート部材３８Ａの開口部３８Ｂから照射されるので、ＬＥＤ３７の光を効率よくケース本体１０内に送ることができる。
【００７１】
（７）光遮蔽体３８はステンレスで形成されると共に、庇部材３８Ｂは、長尺型プレート部材３８Ａの開口部３８Ｃと共にプレス加工により形成されるようになっているので、量産加工が容易となっている。
【００７２】
（８）長尺型ＬＥＤカバー部材３５の下部にＬＥＤ用ソケット３９が設けられており、長尺型ＬＥＤカバー部材３５の内部に光遮蔽体３８を装着したとき、その長尺型プレート部材３８Ａの下端側の端部がＬＥＤ用ソケット３９により位置決めされるので、光遮蔽体３８とＬＥＤ３７との位置関係を正常に維持することができ、ケース本体１０の内部を正常に照らすことができる。
【００７３】
（９）長尺型ＬＥＤカバー部材３５が、ケース本体１０の各側面部材１１Ａ，１１Ｂに着脱自在となっているので、ショーケース用照明装置３２，３３、ＬＥＤ基板３６またはＬＥＤ３７のいずれか一方、あるいは両方が何らかの理由で故障した際に容易に交換することができる。
【００７４】
以上、上記実施形態を参照して本発明を説明したが、本発明は上記実施形態に限定されるものではない。本発明の構成や詳細については、当業者が理解し得るさまざまな変更を加えることができる。また、本発明には、上記実施形態の構成の一部又は全部を相互に適宜組み合わせたものも含まれる。
【００７５】
例えば、前記実施形態では、長尺型ＬＥＤカバー部材３５をアルミの押し出し加工により形成したが、これに限らず、ベークライト等の合成樹脂の射出成型により形成してもよい。
【００７６】
また、前記実施形態では、光遮蔽体３８を構成する長尺型プレート部材３８Ａおよび庇部材３８Ｂをステンレス材で構成したが、これに限らず、薄板のアルミニウム材や射出成型による合成樹脂で構成してもよい。
【００７７】
さらに、前記実施形態では、ショーケース用照明装置３０を、ショーケース１を構成するケース本体１０の一対の側面部材１１Ａ，１１Ｂの前面側上下にわたって配置した構成としたが、これに限らない。側面部材１１Ａ，１１Ｂの前端面と前面ガラス１４の幅方向両端部とにわたって設け、ケース本体１０の前方角部からＬＥＤ３７の光を照射するようにしてもよい。要は、ケース本体１０の前部側の角部領域にショーケース用照明装置３０が配置されているものであればよい。
また、ケース本体１０の前部側の角部領域としては、ケース本体１０の前部側から、側面部材１１Ａ，１１Ｂに設けられている側面ガラス１６の幅方向の略半分の位置も含まれるものとし、その位置に、さらにショーケース用照明装置３０を配置してもよい。
さらに、側面ガラス１６が側面部材１１Ａ，１１Ｂの略全面にわたって設けられている場合等には、側面ガラス１６の任意の位置（角部領域に代えて）にショーケース用照明装置３０を配置してもよい。
【００７８】
また、前記実施形態では、ショーケース用照明装置３０をホットショーケースに用いたが、これに限らず、コールドタイプや常温タイプのショーケースにも適用することができる。
【産業上の利用可能性】
【００７９】
本発明は、例えば、コンビニエンスストア等のレジ用カウンターに設置して、内部の陳列棚に陳列された商品を出し入れする際に利用できる。
【符号の説明】
【００８０】
１    ショーケース
１０    ケース本体
１１Ａ    側面部材（左側）
１１Ｂ    側面部材（右側）
１２    上部フレーム
１３    下部フレーム
１４    前面ガラス（前面透明部材）
１６    側面ガラス
２０    陳列棚
３０    ショーケース用照明装置
３２    ショーケース用照明装置（左側）
３３    ショーケース用照明装置（右側）
３５    長尺型ＬＥＤカバー部材
３６    ＬＥＤ基板
３７    ＬＥＤ
３８    光遮蔽体
３８Ａ    長尺型プレート部材
３８Ｂ    庇部材
３９    ＬＥＤ用下ソケット
４０    取付けソケット
１００    レジ用カウンター
【要約】
【課題】陳列棚上の陳列商品の出し入れをＬＥＤの光に影響されることなく容易に行うことができ、陳列商品の出し入れ作業の向上を図れるようになるショーケース用照明装置およびショーケースを提供する。
【解決手段】ショーケース用照明装置３０を、縦方向に配置された長尺型のＬＥＤ基板３６と、このＬＥＤ基板３６の長手方向に少なくとも１列に配置された複数個のＬＥＤ３７と、ＬＥＤ基板３６を保持する長尺型ＬＥＤカバー部材３５とを備え、長尺型ＬＥＤカバー部材３５に、各ＬＥＤ３７の上方向側への光を遮る庇部材３８Ｂを各ＬＥＤ３７にそれぞれ対応させて装備した構成とした。そして、このようなショーケース用照明装置３０を、前面透明部材１４と、一部に側面ガラス部材１６を設けた一対の側面部材１１Ａ，１１Ｂとを備えたケース本体１０に着脱自在に取り付けた。
【選択図】図５【図１】
0005616553.tif 000002
【図２】
0005616553.tif 000003
【図３】
0005616553.tif 000004
【図４】
0005616553.tif 000005
【図５】
0005616553.tif 000006
【図６】
0005616553.tif 000007
【図７】
0005616553.tif 000008
【図８】
0005616553.tif 000009
【図９】
0005616553.tif 000010
【図１０】
0005616553.tif 000011
【図１１】
0005616553.tif 000012
【図１２】
0005616553.tif 000013
【図１３】
0005616553.tif 000014
【図１４】
0005616553.tif 000015
【図１５】
0005616553.tif 000016